(57)【特許請求の範囲】
【請求項１】
主板部と通気コアと固定支持体とで構成され、主板部は前後に細長い主板の左右両側上端部に、瓦支持板が前後に長く立設され、主板下面では幅中央部に前後に沿う支柱体が垂設されると共に、下面側端縁部に通気コアが形成され、該通気コアは左右向きの通気孔が複数、主板の前後方向へ並列に形成され、固定支持体は、基板の上面幅中央部に一対の嵌装体が立設され、前記主板の前後方に沿って、複数の固定支持体の嵌装体が支柱体に嵌装固定されてなること、を特徴とする換気棟瓦桟。
【請求項２】
前記主板上の瓦支持板は、複数並列して配設されていること、を特徴とする請求項１に記載された換気棟瓦桟。
【請求項３】
前記主板上の瓦支持板には、背高調整具が装着されていること、を特徴とする請求項１．２のいずれかに記載された換気棟瓦桟。
【請求項４】
前記主板には、その左右中央部に可曲部が形成されていること、を特徴とする請求項１〜３のいずれかに記載された換気棟瓦桟。
【請求項５】
前記主板の下面両側縁部には、通気コアを嵌装する左右一対の嵌装突条が、それぞれ前後に沿って形成されていること、を特徴とする請求項１〜４のいずれかに記載された換気棟瓦桟。
【請求項６】
前記通気コアの下面には、粘着剤層が形成され、離形紙が貼着されていること、を特徴とする請求項１〜５のいずれかに記載された換気棟瓦桟。
【請求項７】
左右中央部に可曲部を形成された前後に長い主板と通気コアから構成され、主板の上面左右端部に瓦支持板が前後に沿って突設され、主板の下面における左右端縁部に通気コアが、通気孔を左右に向けて、前後に長く配設されたこと、を特徴とする換気棟瓦桟。
【発明の詳細な説明】
【０００１】
【発明の属する技術分野】
この発明は換気棟瓦桟に係り、特に換気性と施工性に優れ、安価に供給することのできる換気棟瓦桟に関する。
【０００２】
【従来の技術】
従来、住宅用建物の小屋裏の換気は軒裏あるいは小屋裏の壁に形成した換気孔等からおこなっているが、棟頂部に停滞する難点がある。また特開平２−２７２１５３号公報には、多孔板を積層して、開孔部を切妻状に付合わせて開孔部から脱気するものが開示されている。
【０００３】
【発明が解決しようとする課題】
屋根構造が寄棟の場合は小屋裏の壁面に換気孔を形成することができず、軒裏の換気孔だけでは頂部の換気に難点がある。ところが平成１０年１０月１日から公庫融資制度の適用住宅の技術基準が改正されて、軒裏に吸気孔を設け、かつ排気筒その他の器具を用いた排気孔を設ける場合は、吸気孔の有効面積の天井の面積に対する割合は、９００分の１以上とし、排気孔はできるだけ小屋裏の頂部に設け、排気孔の有効面積の天井の面積に対する割合は、１，６００分の１以上とすること、という規定が制定され、かつ、建築費を押さえるために寄棟が増加している。
従って、これら法規制並びに時代の趨勢に対処して安価で施工性に優れ、前記技術基準に適合する換気屋根構造が求められている。
また前記公開公報記載の棟カバーは、瓦葺屋根に使用すると葺土が通気孔を閉塞するという難点があり、厚みの異なる瓦に対応出来ない。
この発明はそれらの実情に鑑みて、換気性と施工性に優れかつ安価な換気棟瓦桟を提供することを目的として開発されたものである。
【０００４】
【課題を解決するための手段】
この発明は前記課題を解決し、目的を達成するために次のような技術的な手段を講じた。
【０００５】
主板部と通気コアと固定支持体とで構成され、主板部は細長い主板の左右両側上端部に瓦支持板が前後に長く立設され、主板下面では左右中央部に前後方に沿う支柱体が垂設されると共に、下面側端縁部に通気コアが形成され、該通気コアは左右向きの通気孔が複数、主板の前後方向へ並列に形成され、固定支持体は、基板の上面左右中央部に一対の嵌装体が立設され、前記主板の前後に沿って複数の固定支持体の嵌装体が支柱体に嵌装固定されてなる換気棟瓦桟。
【０００６】
前記主板上の瓦支持板は複数並列して配設することができる。
【０００７】
前記主板上の瓦支持板には、背高調整具を装着することができる。
【０００８】
前記主板には、その左右中央部に可曲部を形成することができる。
【０００９】
前記主板の下面左右側端縁部には、通気コアを嵌装する一対の嵌装突条をそれぞれ形成することができる。
【００１０】
前記通気コアの上面には、断面略Ｕ字状、あるいはＬ字状の瓦支持板を固定することができる。
【００１１】
前記通気コアの下面には粘着剤層を形成することができる。
【００１２】
左右中央部に可曲部を形成された、前後に長い主板と通気コアから構成され、主板の上面左右端部に、瓦支持板が前後方に沿って突設され、主板の下面における左右端縁部に通気コアが、通気孔を左右に向けて、前後に長く配設された換気棟瓦桟。
【００１３】
【作用】
上記のように構成されたこの発明は、次のような作用を有している。
【００１４】
主板部を屋根上に固定するための固定支持体は、長さ１２０センチ程度の主板部の長手に二個ないし三個しか配設しないので、野地板突合わせ間隙を固定支持体で塞いでしまうことがなく、換気に必要な間隙が確保される。
【００１５】
主板部には主板の左右中央部に支柱体が垂設されていて、該支柱体が固定支持体の嵌装体に嵌装されて支持されるので、小屋の気流は支柱体の左右に分かれて排出され、左右の通気コアの通気孔から外方へ排出される。
【００１６】
押出成形で、通気孔を前後に貫通させるように成形された通気コアは、前後間隔を短かく切断して製造するので、通気孔の数が多くても製造が容易で、強度を十分保持させながら通気量を多くすることができる。
【００１７】
主板部の左右端部に瓦支持板が配設されているので、瓦の下に配する葺土が崩れてもすべり落ちることが無く、換気用の通気コアの通気孔を閉塞させない。
【００１８】
【発明の実施の形態】
この発明の実施の形態例を図面を参照して説明する。図１は換気棟瓦桟の正面図、図２は主板部斜視図、図３は通気コアの斜視図、図４は固定支持体の斜視図である。図１において、換気棟瓦桟１は、主板部２，通気コア３、固定支持体４から構成されている。
【００１９】
図２において主板部２は、幅およそ１３センチ程度の主板５の左右中央下部に支柱体６が突設され、該主板５，５の左右上側端部に高さ１０ミリないし２０ミリの上向きの支持板７が前後に沿って形成されている。また主板５，５の左右下側端縁部には、通気コア３，３を嵌装する一対の嵌装突条８，８が前後に沿って形成されている。
【００２０】
主板５の左右央部は、軟質材もしくは肉厚の薄い成形によって、可曲部５Ａが形成されている。該主板部２の長さは、押出成形なので長くすることができるが、屋根上で使用する部材なので、販売時には１２００ミリ程度に設定される。
【００２１】
図３において通気コア３は、幅およそ３０ミリ前後の上下板３Ｂ，３Ｃ、の間に高さ１２ミリ前後の隔壁３Ｄ…が、定ピッチで複数配列されて通気孔９…が、複数形成されている。長さは前記主板部２の長さと同じに設定されるが、押出成形機で成形する場合の、金型が小さい場合には、短かい物を複数使用する。
【００２２】
通気孔９…の配列ピッチは、例えば８ミリないし１０ミリ前後で設定される。通気孔９は単列ハニーコム式に横一列に複数形成され、図では通気効率の良い四角形であるが、三角形でも良い。また、上下に複数の並列でも良い。製造時には通気孔９…の貫通する方向が、前後方向として押出成形機で、平板状の長い物として成形されるので、成形後に前後長さを所望の長さに切断される。
【００２３】
この通気コア３は、図３における下板３Ｃを全部、あるいは部分的に無くすことができる。上記の構成において、前記主板５，５下面の左右のそれぞれの嵌装突条８，８間に接着剤を塗布して通気コア３，３を接着すると図２に示す状態になる。
【００２４】
図４において、固定支持体４は、基板１０の幅中央上部に、左右一対の嵌装体１２，１２が立設されている。基板１０の幅は６センチ前後で、長さは例えば３センチないし１０センチに設定される。両嵌装体１２，１２の間には、前記主板部２の支柱体６が、嵌装される嵌装溝１３が、形成されている。符号１１は釘打ちの目安となる定規突条である。
【００２５】
以上の構成において、前記主板部２の支柱体６の前後方向に、固定支持体４を２個ないし４個を適宜間隔を置いて、嵌装溝１３を支柱体６に外嵌固定（必要に応じて接着剤を使用）する。しかる後、図１に示すように、棟頂上において、左右の野地板１４，１４の突合部１４Ａの中央に、嵌装溝１３が位置するように固定支持体４を配置して、基板１０，１０を野地板１４，１４に釘打ち固定する。
【００２６】
この場合、図２における主板５，５の可曲部５Ａが折曲げ可能なので主板５，５の側端部を上向きに折返して釘打ちをする。このとき前記定規突条１１の部分に、釘打ちをすることによって、釘の位置決めが容易である。
【００２７】
次に、図１において、通気コア３，３部分の上にあたる主板５，５の上から、野地板１４に向って釘打ちをする。この場合、図２に示す主板５の定規突条５Ｂが釘打ち位置の目安になる。  図１において、符号１５は小屋、１６は瓦桟、１７は桟瓦、１８は葺土（粘土）、１９は気流である。桟瓦１７，１７の頂部には、葺土（粘土）１８を介して図示省略した熨瓦並びに丸瓦が配設される。
【００２８】
以上の工程において、建物の小屋１５の空気流１９は、頂部の野地板１４，１４の突合部１４Ａの隙間（幅２０ミリないし３０ミリ）から上にあがり、主板部２の支柱体６の左右に分かれて主板５，５の下面に沿って通気コア３，３の通気孔９…を抜けて、桟瓦１７の下の空間に出て、瓦間の間隙から外部に放出される。常時換気される。
【００２９】
前記通気コア３，３の通気孔９…は通気コア３…の長さ１メートルにつき、およそ１８０平方センチ前後以上を確保することができる。このことは、少なくとも長さ１メートルの１本の通気コア３によって、天井面積１６，２平方メートル以上に対応させることができるので、棟換気に関する技術基準を十分に充足している。
【００３０】
図１において葺土（粘土）１８は、瓦葺きには不可欠のものであるが、経時的に滑り落ちて通気孔９…を塞ぐが、この発明においては、図示するように主板５に瓦支持板７が立設されているので、瓦支持板７は瓦１７を支持すると共に、主板５上に配置する葺土１８の滑落を防止するため、通気孔９…が葺土１８によって埋もれるという事態は、全く生じることはない。そのことは、葺土によって支持されている熨瓦、丸瓦等の崩れが生じない。
【００３１】
図５は主板５における瓦支持板７の高さを、高くする手段を示す正面図である。すなわち、瓦は産地によって寸法が異なり、また高級品は厚みが高くなっている。従って図１において瓦支持板７と、その上の桟瓦１７との間に１センチ前後の間隙が開くことがある。そのような場合に、瓦支持板７の背を高くするための手段が、図５に示す背高調節具２０である。
【００３２】
該背高調節具２０は、前後板２０Ａ，２０Ｂ間に嵌溝２０Ｃが形成され、該嵌溝２０Ｃの中に複数の階段２０Ｄ…が形成されている。従って、適当な階段２０Ｄの高さを選択して、背高調節具２０を、瓦支持板７に横から外嵌させれば、容易にほぼ１ミリ単位の背高調節をすることができる。
【００３３】
前記背高調節具２０は、図６ないし図８に示すようなものに変化させることができる。図６に示すものは、図示するように瓦支持板７の横に、ヒンジ部２０Ｅを介して可傾倒板体の背高調節具２０とすることができる。符号２０Ｆは係止突体である。不使用時には主板５の上に横倒しにしておくことができる。前記ヒンジ部２０Ｅは軟質材とすることができる。
【００３４】
図においては、主板５の上の瓦支持板７，７は平行に二個形成されている。その上外面に係合溝７Ａ，７Ａが形成されていて、断面門型の背高調節具２０の係止突体が、係合することによって嵌装されている。
【００３５】
図８に示す背高調節具２０は、杆状に形成されて一対の瓦支持板７，７間に嵌装されている。該背高調節具２０は例えば材木でもよいし、合成樹脂の中空体でも良い。
【００３６】
図９は、図１，図５に例示した形態のものの、固定支持体を使用しない態様を示す。すなわち、主板５の下面に通気コア３が固定されただけで、この一対を組合わせて使用するもので、図中符号５Ｃは連結材、１４Ｂはルーフイングである。この形態は製造時の金型の大きさが半分で済み、かつ一型で左右用に兼用することができるほか、前記のような固定支持体４を必要としない効果がある。
【００３７】
図１０は通気コア３だけで、換気屋根構造を構成する方法を示す正面図である。図において、小屋１５の野地板１４，１４突合部１４Ａに幅２０センチ前後の通気間隙を形成し、該間隙を塞ぐように、左右から突合せ端面を斜に切欠いて、斜面３Ａを形成した通気コア３，３の斜面３Ａ，３Ａを突合わせて、各通気コア３，３の上部には断面略Ｕ字状の支持板７を重ねて、上から野地板１４，１４へと釘打ちするものである。前記支持板７は断面略Ｌ字状でもよい。
【００３８】
必要に応じて通気コア３，３の突合わせ部分頂部に、ビニール粘着テープなどを貼着することができる。これによって小屋１５の気流１９は、野地板１４，１４の突合部１４Ａ間隙から、直に通気コア３，３の通気孔９を経て、外へと抜くことができる。瓦の厚みの異なる場合は、前記瓦支持板７の高さの異なるものを使用することによって、対応することができる。
【００３９】
図１１は、図１０に示した一対の通気コア３，３を斜面３Ａ，３Ａ部分で連結する連結具である。連結具２１は、細長基板２１Ａの両側部に、側壁２１Ｂ，２１Ｂを立設して、断面略Ｕ字状に形成され、側壁２１Ｂ，２１Ｂの端部を外方へやや反らせたもので、その長手中央部に略Ｖ字状の切欠部２１Ｃが形成されている。該切欠部２１Ｃから屈曲させることができる。
【００４０】
該連結具２１は図１２に示すように、通気コア３の長手方向に適宜間隔をおいて、斜面３Ａ側の通気孔の中に、連結具２１の側壁２１Ｂ，２１Ｂを下向きにして切欠部２１Ｃ部分まで挿入する。この場合、側壁２１Ｂ，２１Ｂは自由端部が外反りになっているので、通気孔９の内壁と摩擦して抜出しはしないが、必要に応じて接着剤で接着することができる。
【００４１】
連結具２１で一対の通気コア３，３を連結した状態は、図１３に示すようになる。図中符号２２は粘着剤層、２３は離形紙である。この状態で屋根の上に運び、離形紙２３を剥がして図１０に示すように、野地板１４の上に貼着させる。この場合、連結具２１は切欠部２１Ｃの部分から、容易に屈曲させることができるので、通気コア３，３を屋根勾配に容易に適合させることができる。
【００４２】
なお、この発明は前記形態例に限定されるものではなく、目的に沿って適宜設計変更をすることができる。例えば主板５上の瓦支持板７は、高さを違差させて複数配設することができる。主板５下の支柱体６は図５に示すように二個とし、固定支持体４の嵌装体１２を一個にすることもできる。
【００４３】
また通気コア３の下面、あるいは固定支持体４の基板１０下面には、粘着剤層を形成して離形紙を貼着することができる。前記寸法は一例なので、これに限定されるものではなく、実態に合わせて適宜設定される。
【００４４】
【発明の効果】
以上のように構成されたこの発明は、次のように優れた効果を有している。
【００４５】
主板も通気コアも押出成形で大量生産する事ができるので、コストを著しく安価にすることができる効果がある。
【００４６】
通気コアは押出成形で形成するので、強度を保持しながら通気孔の面積を最大限に設定することができる効果がある。
【００４７】
押出成形で形成する通気コアは、高さ、幅、長さを自由に設定することができるので、通気孔に面する端面を斜に切断して形成した斜面を突合わせるだけで、小屋の換気をすることができる効果がある。
【００４８】
主板部において主板上の幅両側端部に瓦支持板を立設したので、桟瓦を瓦支持板で支持すると共に、葺土の滑動を防止することができる効果がある。
【００４９】
主板上の瓦支持板に背高調節具を装着するとき、瓦の大きさに合わせて瓦支持板の背高をミリ単位で調節することができる効果がある。
【００５０】
通気コアの下面に粘着剤層を形成するときは、屋根の上で位置決めして容易に固定することができる効果がある。
【００５１】
構造が簡単なので施工性に優れ、熟練を要さずに容易に短時間で施工することができる効果がある。
【００５２】
軽量なので、搬送負担が小さく、屋根上での取扱いが容易で、また屋根に対する重量負担が軽いという効果がある。
【図面の簡単な説明】
【図１】  換気棟瓦桟の実施状況を示す屋根構造正面図である。
【図２】  換気棟瓦桟の主板部の斜視図である。
【図３】  通気コアの斜視図である。
【図４】  換気棟瓦桟の固定支持体の斜視図である。
【図５】  第二形態例を示す換気棟瓦桟の正面図である。
【図６】  背高調節具の第二形態を示す正面図である。
【図７】  背高調節具の第三形態を示す正面図である。
【図８】  背高調節具の第四形態を示す正面図である。
【図９】  第三形態例を示す換気棟瓦桟の正面図である。
【図１０】 第四形態例を示す換気棟瓦桟の正面図である。
【図１１】  通気コアの連結具の斜視図である。
【図１２】  連結具を通気コアに装着する斜視図である。
【図１３】  連結具で連結した通気コアの正面図である。
【符号の説明】
１      換気棟瓦桟
２      主板部
３      通気コア
３Ａ    斜面
３Ｂ    上板
３Ｃ    下板
３Ｄ    隔壁
４      固定支持体
５      主板
５Ａ    可曲部
５Ｂ    定規突条
６     支柱体
７     瓦支持板
７Ａ    係合部
８      嵌装突条
９      通気孔
１０    基板
１１    定規突条
１２    嵌装体
１３    嵌装溝
１４    野地板
１４Ａ  突合部
１４Ｂ  ルーフイング
１５    小屋
１６    瓦桟
１７    桟瓦
１８    葺土（粘土）
１９    気流
２０    背高調節具
２０Ａ，２０Ｂ  前後板
２０Ｃ  嵌溝
２０Ｄ  階段
２０Ｅ  ヒンジ部
２０Ｆ  係止突体
２１    連結具
２１Ａ  基部
２１Ｂ  側壁
２１Ｃ  切欠部
２２    粘着剤層
２３    離形紙
【図１】
0003909626.tif 000002
【図２】
0003909626.tif 000003
【図３】
0003909626.tif 000004
【図４】
0003909626.tif 000005
【図５】
0003909626.tif 000006
【図６】
0003909626.tif 000007
【図７】
0003909626.tif 000008
【図８】
0003909626.tif 000009
【図９】
0003909626.tif 000010
【図１０】
0003909626.tif 000011
【図１１】
0003909626.tif 000012
【図１２】
0003909626.tif 000013
【図１３】
0003909626.tif 000014